(57)【要約】【課題】チップサイズ、従って基板サイズを全体として低減したディスプレイ装置、それを具備した情報処理システム、及びその駆動方法を提供する。【解決手段】本発明によるディスプレイ装置を具備した情報処理システムは、画像信号を発生するホストと、画像信号を圧縮し、かつ圧縮された画像信号から画像信号を復元して表示する液晶ディスプレイ装置と、を含み、好ましくは、ホストに具備されたメモリの一領域をフレームメモリ領域として割り当て、さらに好ましくは、システムオンガラス技術またはシステムオンプラスチック技術に基き構成されることを特徴とする。従って、ディスプレイ装置とホストとの間に伝送される画像信号は圧縮された形態を有するので、全体としてのチップサイズが減り、伝送データ量も減る。【選択図】図２
2007025659.tif 000002
【特許請求の範囲】
【請求項１】
画像信号を発生し、外部から提供される圧縮画像信号を貯蔵するホストと、
前記ホストから提供される画像信号を圧縮して前記圧縮画像信号を発生し、前記圧縮画像信号を前記ホストに提供する液晶ディスプレイ装置と、を含み、
前記液晶ディスプレイ装置は前記ホストに貯蔵されている圧縮画像信号を読み出して前記圧縮画像信号を復元し、前記復元された画像信号を表示することを特徴とする情報処理システム。
【請求項２】
前記ホストは、
前記画像信号を発生する画像処理部と、
前記画像信号を前記液晶ディスプレイ装置に送り、前記液晶ディスプレイ装置から前記圧縮画像信号を受信するインターフェースと、
前記液晶ディスプレイ装置から受信された前記圧縮画像信号を貯蔵するメモリと、を含み、
前記メモリに貯蔵された前記圧縮画像信号は前記インターフェースを通じて前記液晶ディスプレイ装置に送られることを特徴とする請求項１に記載の情報処理システム。
【請求項３】
前記メモリのデータ貯蔵空間のうちの少なくとも一領域が前記液晶ディスプレイ装置のフレームメモリ領域として割り当てられることを特徴とする請求項２に記載の情報処理システム。
【請求項４】
前記液晶ディスプレイ装置は、
前記画像信号を圧縮して前記メモリに貯蔵し、前記メモリに貯蔵された前記圧縮画像信号を受信して前記画像信号を復元するタイミング制御部と、
前記復元された画像信号に対応するデータ電圧を発生する駆動部と、
前記データ電圧に応答して前記画像信号を表示する液晶パネルと、を含むことを特徴とする請求項２に記載の情報処理システム。
【請求項５】
前記タイミング制御部、前記駆動部、及び前記液晶パネルは、システムオンガラス技術及びシステムオンプラスチック技術のうちのいずれか一つに基づいて同一の基板上に形成されることを特徴とする請求項４に記載の情報処理システム。
【請求項６】
前記タイミング制御部は前記画像信号を圧縮し、前記圧縮画像信号の圧縮を解除するＣＯＤＥＣを含むことを特徴とする請求項４に記載の情報処理システム。
【請求項７】
前記駆動部は、
前記復元された画像信号の電圧レベルを増幅するレベルシフトと、
前記タイミング制御部の制御に応答して前記液晶パネルの各ゲートラインを活性化させるゲート駆動部と、
前記タイミング制御部の制御に応答して前記レベルシフトの出力に対応するデータ電圧を発生し、前記データ電圧を前記液晶パネルの各データラインに出力するソース駆動部と、を含むことを特徴とする請求項４に記載の情報処理システム。
【請求項８】
表示される画像信号を発生し、前記発生された画像信号を圧縮して前記圧縮画像信号を内部に具備されたメモリに貯蔵するホストと、
前記ホストから前記貯蔵された圧縮画像信号を受け入れて復元し、前記復元された画像信号を表示する液晶ディスプレイ装置と、を含むことを特徴とする情報処理システム。
【請求項９】
前記ホストは、
前記表示される画像信号を発生する画像処理部と、
前記画像信号を圧縮するエンコーダと、
前記メモリに貯蔵された前記圧縮画像信号を前記液晶ディスプレイ装置に送るインターフェースと、を含むことを特徴とする請求項８に記載の情報処理システム。
【請求項１０】
前記メモリは、データ貯蔵空間のうちの少なくとも一領域が前記液晶ディスプレイ装置のフレームメモリ領域として割り当てられることを特徴とする請求項９に記載の情報処理システム。
【請求項１１】
前記液晶ディスプレイ装置は、
前記メモリに貯蔵された前記圧縮画像信号を受信して前記画像信号を復元するタイミング制御部と、
前記復元された画像信号に対応するデータ電圧を発生する駆動部と、
前記データ電圧に応答して前記画像信号を表示する液晶パネルと、を含むことを特徴とする請求項９に記載の情報処理システム。
【請求項１２】
前記タイミング制御部、前記駆動部、及び前記液晶パネルは、システムオンガラス技術及びシステムオンプラスチック技術のうちのいずれか一つに基づいて同一の基板上に形成されることを特徴とする請求項１１に記載の情報処理システム。
【請求項１３】
前記タイミング制御部は前記圧縮画像信号の圧縮を解除するデコーダを含むことを特徴とする請求項１１に記載の情報処理システム。
【請求項１４】
前記駆動部は、
前記復元された画像信号の電圧レベルを増幅するレベルシフトと、
前記タイミング制御部の制御に応答して前記液晶パネルの各ゲートラインを活性化させるゲート駆動部と、
前記タイミング制御部の制御に応答して前記レベルシフトの出力に対応するデータ電圧を発生し、前記データ電圧を前記液晶パネルの各データラインに出力するソース駆動部と、を含むことを特徴とする請求項１１に記載の情報処理システム。
【請求項１５】
画像信号を発生し、圧縮画像信号を貯蔵するためのメモリを具備し、前記圧縮画像を出力するホスト部と、
前記圧縮画像信号を利用して画像を表示する液晶ディスプレイ装置部と、を含み、
前記液晶ディスプレイ装置部は、
前記ホスト部から入力された前記画像信号を圧縮して前記メモリに貯蔵し、前記メモリに貯蔵されている前記圧縮画像信号を読み出して復元するタイミング制御部と、
前記復元された画像信号に対応するデータ電圧を発生する駆動部と、
前記データ電圧に応答して前記画像信号を表示する液晶パネルと、を含み、
前記タイミング制御部、前記駆動部、及び前記液晶パネルは同一の基板上に形成されることを特徴とする液晶ディスプレイ装置。
【請求項１６】
前記タイミング制御部、前記駆動部、及び前記液晶パネルは、システムオンガラス技術及びシステムオンプラスチック技術のうちのいずれか一つに基づいて同一の基板上に形成されることを特徴とする請求項１５に記載の液晶ディスプレイ装置。
【請求項１７】
前記タイミング制御部は前記入力された画像信号を圧縮し、前記圧縮画像信号の圧縮を解除するＣＯＤＥＣを含むことを特徴とする請求項１５に記載の液晶ディスプレイ装置。
【請求項１８】
前記外部メモリの少なくとも一領域が前記液晶ディスプレイ装置部のフレームメモリ領域として割り当てられることを特徴とする請求項１５に記載の液晶ディスプレイ装置。
【請求項１９】
前記駆動部は、
前記復元された画像信号の電圧レベルを増幅するレベルシフトと、
前記タイミング制御部の制御に応答して前記液晶パネルの各ゲートラインを活性化させるゲート駆動部と、
前記タイミング制御部の制御に応答して前記レベルシフトの出力に対応するデータ電圧を発生し、前記データ電圧を前記液晶パネルの各データラインに出力するソース駆動部と、を含むことを特徴とする請求項１５に記載の液晶ディスプレイ装置。
【請求項２０】
画像信号を発生し、前記画像信号を圧縮して前記圧縮画像信号を内部に具備されたメモリに前記圧縮画像信号を貯蔵するホスト部と、
前記圧縮画像信号を利用して画像を表示する液晶ディスプレイ装置部と、を含み、
前記液晶ディスプレイ装置部は、
前記メモリから圧縮画像信号を受け入れて前記圧縮画像信号を表示される画像信号として復元するタイミング制御部と、
前記復元された画像信号に対応するデータ電圧を発生する駆動部と、
前記データ電圧に応答して前記画像信号を表示する液晶パネルと、を含み、
前記タイミング制御部、前記駆動部、及び前記液晶パネルは同一の基板上に形成されることを特徴とする液晶ディスプレイ装置。
【請求項２１】
前記タイミング制御部、前記駆動部、及び前記液晶パネルは、システムオンガラス技術及びシステムオンプラスチック技術のうちのいずれか一つに基づいて同一の基板上に形成されることを特徴とする請求項２０に記載の液晶ディスプレイ装置。
【請求項２２】
前記タイミング制御部は前記圧縮画像信号の圧縮を解除するデコーダを含むことを特徴とする請求項２０に記載の液晶ディスプレイ装置。
【請求項２３】
前記外部メモリの少なくとも一領域が前記液晶ディスプレイ装置部のフレームメモリ領域として割り当てられることを特徴とする請求項２０に記載の液晶ディスプレイ装置。
【請求項２４】
前記駆動部は、
前記復元された画像信号の電圧レベルを増幅するレベルシフトと、
前記タイミング制御部の制御に応答して前記液晶パネルの各ゲートラインを活性化させるゲート駆動部と、
前記タイミング制御部の制御に応答して前記レベルシフトの出力に対応するデータ電圧を発生し、前記データ電圧を前記液晶パネルの各データラインに出力するソース駆動部と、を含むことを特徴とする請求項２０に記載の液晶ディスプレイ装置。
【請求項２５】
ホストから現在入力された画像信号を圧縮する段階と、
前記圧縮画像信号を前記ホストに具備されたメモリに貯蔵する段階と、
前記メモリから前記圧縮画像信号をローディングする段階と、
前記メモリからローディングされた以前の圧縮画像信号を復元する段階と、
前記復元された画像信号をディスプレイする段階と、を含むことを特徴とする液晶ディスプレイ装置の駆動方法。
【請求項２６】
前記外部メモリの少なくとも一領域が液晶ディスプレイ装置のフレームメモリ領域として割り当てられることを特徴とする請求項２５に記載の液晶ディスプレイ装置の駆動方法。
【請求項２７】
ホストに具備されたメモリから圧縮画像信号を受け入れる段階と、
前記圧縮画像信号を復元する段階と、
前記復元された画像信号をディスプレイする段階と、を含むことを特徴とする液晶ディスプレイ装置の駆動方法。
【請求項２８】
前記外部メモリの少なくとも一領域が液晶ディスプレイ装置のフレームメモリ領域として割り当てられることを特徴とする請求項２７に記載の液晶ディスプレイ装置の駆動方法。
【発明の詳細な説明】
【技術分野】
【０００１】
本発明はディスプレイ装置、それを具備した情報処理システム、及びその駆動方法に係り、より具体的には、同一の回路基板に多数の回路を集積した液晶ディスプレイ装置、それを具備した情報処理システム、及びその駆動方法に関する。
【背景技術】
【０００２】
情報化社会の発展に伴い、ディスプレイ装置に対する要求も多様な形態に増加しており、これに応じて、ＬＣＤ（Ｌｉｑｕｉｄ  Ｃｒｙｓｔａｌ  Ｄｉｓｐｌａｙ  Ｄｅｖｉｃｅ、液晶ディスプレイ装置）、ＰＤＰ（Ｐｌａｓｍａ  Ｄｉｓｐｌａｙ  Ｐａｎｅｌ）、ＥＬＤ（Ｅｌｅｃｔｒｏ  Ｌｕｍｉｎｅｓｃｅｎｔ  Ｄｉｓｐｌａｙ）、ＶＦＤ（Ｖａｃｕｕｍ  Ｆｌｕｏｒｅｓｃｅｎｔ  Ｄｉｓｐｌａｙ）などの多様な種類の平板ディスプレイ装置が研究されている。
そのうち、優れた画質、軽量、薄型、及び低電力の特徴とよって、モバイル機器用ディスプレイ装置としてＬＣＤが多用されている。
【０００３】
一方、先端デジタル情報通信時代に進入することによって、軽量、薄型、及び一体化された情報処理システムを実現するための新しい技術が要求されている。
このような要求を満足させるために、ディスプレイ装置を含んだすべての部品を一つの基板上に集積化するシステムオンガラス（Ｓｙｓｔｅｍ  Ｏｎ  Ｇｌａｓｓ、ＳＯＧ）、またはシステムオンプラスチック（Ｓｙｓｔｅｍ  Ｏｎ  Ｐｌａｓｔｉｃ、ＳＯＰ）技術が活発に研究されている。
ＳＯＧ技術（またはＳＯＰ技術）は、音声、ディスプレイ、情報処理、記憶空間、入出力、通信回路などの様々な種類の機能素子及び回路を硝子基板（またはプラスチック基板）上に集積化することに関する技術である。
【０００４】
現在用いられているシリコン半導体技術は、高価格かつ不透明なシリコンウェーハ上に回路を実現しなければならないので、大面積電子装置（Ｌａｒｇｅ  ａｒｅａ  ｅｌｅｃｔｒｉｎｉｃｓ  ｄｅｖｉｃｅｓ）に応用し難いという短所がある。
一方、ＳＯＧ技術は硝子（または透明なプラスチック）などの多様かつ低価格な基板上に半導体回路及びシステムを直接実現することができるので、大面積電子装置への応用が容易であり、装置・機器の軽薄簡素化及び透明性、基板の柔軟性、低価格などの長所を提供することができる。
【０００５】
ＳＯＧ技術が適用された代表的な例として、ＴＦＴ−ＬＣＤ（Ｔｈｉｎ  Ｆｉｒｍ  Ｔｒａｎｓｉｓｔｏｒ  Ｌｉｑｕｉｄ  Ｃｒｙｓｔａｌ  Ｄｉｓｐｌａｙ）が挙げられる。
ＳＯＧＴＦＴ−ＬＣＤの場合、液晶パネルと、その駆動回路（例えば、ゲート駆動部、ソース駆動部など）が全部ガラス基板上に形成される。
【０００６】
ＴＦＴ−ＬＣＤは、ホストから伝送された画像データをディスプレイするディスプレイ装置として、基本的に１つ以上のフレームデータを貯蔵することができるフレームメモリを要する。
一般的に、フレームメモリはソース駆動部内に具備されるが、ガラス基板上にソース駆動部を集積する時、フレームメモリまで全部集積すると、基板のサイズが増加するという問題がある。
特に、ディスプレイ装置の解像度の増加により、フレームメモリの容量も徐々に増加する傾向にあるので、必要なメモリの容量を減らすことができ、より効率的なメモリ管理を実行することができる新しい方案が要求されている。
【発明の開示】
【発明が解決しようとする課題】
【０００７】
本発明の目的は、チップサイズ、従って基板サイズを全体として低減したディスプレイ装置、それを具備した情報処理システム、及びその駆動方法を提供することにある。
【課題を解決するための手段】
【０００８】
上述の課題を解決するためになされた本発明に係る情報処理システムは、画像信号を発生し、外部から提供される圧縮画像信号を貯蔵するホストと、前記ホストから提供される画像信号を圧縮して前記圧縮画像信号を発生し、前記圧縮画像信号を前記ホストに提供する液晶ディスプレイ装置を含み、前記液晶ディスプレイ装置は前記ホストに貯蔵されている圧縮画像信号を読み出して前記圧縮画像信号を復元（ｄｅｃｏｄｉｎｇ）し、前記復元された画像信号を表示することを含むことを特徴とする。
【０００９】
好ましい実施形態において、  前記ホストは前記画像信号を発生する画像処理部と、前記画像信号を前記液晶ディスプレイ装置に送り、前記液晶ディスプレイ装置から前記圧縮映画像信号を受信するインターフェースと、前記液晶ディスプレイ装置から受信された前記圧縮画像信号を貯蔵するメモリと、を含み、前記メモリに貯蔵された前記圧縮画像信号が前記インターフェースを通じて前記液晶ディスプレイ装置に送られることを特徴とする。
好ましい実施形態において、前記メモリのデータ貯蔵空間のうちの少なくとも一領域が前記液晶ディスプレイ装置のフレームメモリ領域として割り当てられることを特徴とする。
好ましい実施形態において、前記液晶ディスプレイ装置は前記画像信号を圧縮して前記メモリに貯蔵し、前記メモリに貯蔵された前記圧縮画像信号を受信して前記画像信号を復元するタイミング制御部と、前記復元された画像信号に対応するデータ電圧を発生する駆動部と、前記データ電圧に応答して前記画像信号を表示する液晶パネルと、を含むことを特徴とする。
好ましい実施形態において、前記タイミング制御部、前記駆動部、及び前記液晶パネルは、システムオンガラス技術及びシステムオンプラスチック技術のうちのいずれか一つに基づいて同一の基板上に形成されることを特徴とする。
好ましい実施形態において、前記タイミング制御部は前記画像信号を圧縮し、かつ前記圧縮画像信号の圧縮を解除するＣＯＤＥＣを含むことを特徴とする。
好ましい実施形態において、前記駆動部は、前記復元された画像信号の電圧レベルを増幅するレベルシフトと、前記タイミング制御部の制御に応答して前記液晶パネルの各ゲートラインを活性化させるゲート駆動部と、前記タイミング制御部の制御に応答して前記レベルシフトの出力に対応するデータ電圧を発生し、前記データ電圧を前記液晶パネルの各データラインに出力するソース駆動部と、を含むことを特徴とする。
【００１０】
上述の課題を解決するためになされた本発明に係る情報処理システムは、表示される画像信号を発生し、前記発生された画像信号を圧縮して前記圧縮画像信号を内部に具備されたメモリに貯蔵するホストと、前記ホストから前記貯蔵された圧縮画像信号を受け入れて復元し、前記復元された画像信号を表示する液晶ディスプレイ装置を含むことを特徴とする。
【００１１】
好ましい実施形態において、前記ホストは前記表示される画像信号を発生する画像処理部と、前記画像信号を圧縮するエンコーダと、前記メモリに貯蔵された前記圧縮画像信号を前記液晶ディスプレイ装置に送るインターフェースと、を含むことを特徴とする。
好ましい実施形態において、前記メモリは、データ貯蔵空間のうちの少なくとも一領域が前記液晶ディスプレイ装置のフレームメモリ領域として割り当てられることを特徴とする。
好ましい実施形態において、前記液晶ディスプレイ装置は前記メモリに貯蔵された前記圧縮画像信号を受信して前記画像信号を復元するタイミング制御部と、前記復元された画像信号に対応するデータ電圧を発生する駆動部と、前記データ電圧に応答して前記画像信号を表示する液晶パネルと、を含むことを特徴とする。
好ましい実施形態において、前記タイミング制御部、前記駆動部、及び前記液晶パネルは、システムオンガラス技術及びシステムオンプラスチック技術のうちのいずれか一つに基づいて同一の基板上に形成されることを特徴とする。
好ましい実施形態において、前記タイミング制御部は前記圧縮画像信号の圧縮を解除するデコーダを含むことを特徴とする。
好ましい実施形態において、前記駆動部は前記復元された画像信号の電圧レベルを増幅するレベルシフトと、前記タイミング制御部の制御に応答して前記液晶パネルの各ゲートラインを活性化させるゲート駆動部と、前記タイミング制御部の制御に応答して前記レベルシフトの出力に対応するデータ電圧を発生し、前記データ電圧を前記液晶パネルの各データラインに出力するソース駆動部と、を含むことを特徴とする。
【００１２】
上述の課題を解決するためになされた本発明に係る液晶ディスプレイ装置は、画像信号を発生し、圧縮画像信号を貯蔵するためのメモリを具備し、前記圧縮画像を出力するホスト部と、前記圧縮画像信号を利用して画像を表示する液晶ディスプレイ装置部と、を含み、前記液晶ディスプレイ装置部は、前記ホスト部から入力された前記画像信号を圧縮して前記メモリに貯蔵し、前記メモリに貯蔵されている前記圧縮画像信号を読み出して復元するタイミング制御部と、前記復元された画像信号に対応するデータ電圧を発生する駆動部と、前記データ電圧に応答して前記画像信号を表示する液晶パネルと、を含み、前記タイミング制御部、前記駆動部、及び前記液晶パネルは同一の基板上に形成されることを特徴とする。
【００１３】
好ましい実施形態において、前記タイミング制御部、前記駆動部、及び前記液晶パネルは、システムオンガラス技術及びシステムオンプラスチック技術のうちのいずれか一つに基づいて同一の基板上に形成されることを特徴とする。
好ましい実施形態において、前記タイミング制御部は前記入力された画像信号を圧縮し、かつ前記圧縮画像信号の圧縮を解除するＣＯＤＥＣを含むことを特徴とする。
好ましい実施形態において、前記外部メモリの少なくとも一領域が前記液晶ディスプレイ装置部のフレームメモリ領域として割り当てられることを特徴とする。
好ましい実施形態において、前記駆動部は前記復元された画像信号の電圧レベルを増幅するレベルシフトと、前記タイミング制御部の制御に応答して前記液晶パネルの各ゲートラインを活性化させるゲート駆動部と、前記タイミング制御部の制御に応答して前記レベルシフトの出力に対応するデータ電圧を発生し、前記データ電圧を前記液晶パネルの各データラインに出力するソース駆動部と、を含むことを特徴とする。
【００１４】
上述の課題を解決するためになされた本発明に係る液晶ディスプレイ装置は、画像信号を発生し、前記画像信号を圧縮して前記圧縮画像信号を内部に具備されたメモリに前記圧縮画像信号を貯蔵するホスト部と、前記圧縮画像信号を利用して画像を表示する液晶ディスプレイ装置部と、を含み、前記液晶ディスプレイ装置部は、前記メモリから圧縮画像信号を受け入れて前記圧縮画像信号を表示される画像信号として復元するタイミング制御部と、前記復元された画像信号に対応するデータ電圧を発生する駆動部と、前記データ電圧に応答して前記画像信号を表示する液晶パネルと、を含み、前記タイミング制御部、前記駆動部、及び前記液晶パネルは同一の基板上に形成されることを特徴とする。
【００１５】
好ましい実施形態において、前記タイミング制御部、前記駆動部、及び前記液晶パネルは、システムオンガラス技術及びシステムオンプラスチック技術のうちのいずれか一つに基づいて同一の基板上に形成されることを特徴とする。
好ましい実施形態において、前記タイミング制御部は前記圧縮画像信号の圧縮を解除するデコーダを含むことを特徴とする。
好ましい実施形態において、前記外部メモリの少なくとも一領域が前記液晶ディスプレイ装置部のフレームメモリ領域として割り当てられることを特徴とする。
好ましい実施形態において、前記駆動部は前記復元された画像信号の電圧レベルを増幅するレベルシフトと、前記タイミング制御部の制御に応答して前記液晶パネルの各ゲートラインを活性化させるゲート駆動部と、前記タイミング制御部の制御に応答して前記レベルシフトの出力に対応するデータ電圧を発生し、前記データ電圧を前記液晶パネルの各データラインに出力するソース駆動部と、を含むことを特徴とする。
【００１６】
上述の課題を解決するためになされた本発明に係る液晶ディスプレイ装置の駆動方法は、ホストから現在入力された画像信号を圧縮する段階と、前記圧縮画像信号を前記ホストに具備されたメモリに貯蔵する段階と、前記メモリから前記圧縮画像信号をローディングする段階と、前記メモリからローディングされた以前の圧縮画像信号を復元する段階と、前記復元された画像信号をディスプレイする段階と、を含むことを特徴とする。
【００１７】
好ましい実施形態において、前記外部メモリの少なくとも一領域が液晶ディスプレイ装置のフレームメモリ領域として割り当てられることを特徴とする。
上述の課題を解決するためになされた本発明に係る液晶ディスプレイ装置の駆動方法は、ホストに具備されたメモリから圧縮画像信号を受け入れる段階と、前記圧縮画像信号を復元する段階と、前記復元された画像信号をディスプレイする段階と、を含むことを特徴とする。
好ましい実施形態において、前記外部メモリの少なくとも一領域が液晶ディスプレイ装置のフレームメモリ領域として割り当てられることを特徴とする。
【００１８】
上述の課題を解決するためになされた本発明の請求項１に係る情報処理システムは、画像信号を発生するホストと、前記画像信号を圧縮し、かつ前記圧縮された画像信号から前記画像信号を復元して表示する液晶ディスプレイ装置と、を含むことを特徴とする。
【発明の効果】
【００１９】
本発明による液晶ディスプレイ装置は、その内部に別途のフレームメモリを具備せず、ホストに具備されているメモリの一領域をフレームメモリ領域として割り当てて用いる。
その際、液晶ディスプレイ装置とホストとの間に送受信される画像信号は圧縮された形態を有するので、伝送データ量も低減される。
その結果、液晶ディスプレイ装置とこれを具備した情報処理システムの全体としてのチップサイズ、従って基板サイズが低減される。
このようにして本発明によれば、ＳＯＧ技術に基づいてディスプレイ装置、それを具備した情報処理システムのチップサイズ、従って基板サイズを全体として最小化すると共に、そのようなディスプレイ装置の駆動方法を提供することができる。
【発明を実施するための最良の形態】
【００２０】
以下、本発明に係る実施形態を添付の図を参照して詳細に説明する。
本発明の液晶ディスプレイ装置は、複数個の回路素子を一つの基板に集積することができるＳＯＧ技術またはＳＯＰ技術に基づいて構成される。
前記液晶ディスプレイ装置は、その内部に別途のフレームメモリを具備せず、ホストに具備されているメモリの一領域をフレームメモリ領域として割り当てて用いる。
その際、液晶ディスプレイ装置とホストとの間に送受信される画像信号は圧縮された形態を有するので、液晶ディスプレイ装置とこれを具備した情報処理システムの全体チップサイズが減り、伝送データ量も減る。
【実施例１】
【００２１】
図１は本発明の望ましい実施形態に係る情報処理システム３００の概略的な構成を示す斜視図である。
図１を参照すれば、情報処理システム３００は大きくディスプレイ装置１００と、ホスト２００に区別される。
ディスプレイ装置１００は、ＳＯＧ（Ｓｙｓｔｅｍ  Ｏｎ  Ｇｌａｓｓ）またはＳＯＰ（Ｓｙｓｔｅｍ  Ｏｎ  Ｐｌａｓｔｉｃ）技術を適用して構成される。
ＳＯＧ技術によれば、液晶パネル１１０を含めた複数個の駆動回路、例えばゲート駆動部１２０、ソース駆動部１３０、レベルシフト１４０、タイミング制御部１５０、及び電源供給部１７０は全部液晶パネル１１０と同一の基板（すなわち、同一のガラス基板）上に形成されることができる。
図１ではモバイル機器のディスプレイ装置として多用されている液晶ディスプレイ装置の構成を示す。
【００２２】
本発明に係るディスプレイ装置１００は、その内部に別途のフレームメモリを具備せず、ホスト２００に具備されているメモリ２７０の一領域をフレームメモリ領域２７５として割り当てて用いる。
フレームメモリ領域２７５に貯蔵される画像データは圧縮されたデータ形態を有する。
したがって、ディスプレイ装置１００の全体のチップサイズが減り、さらに情報処理システム３００の全体チップサイズが減る。
また、ディスプレイ装置１００とホストとの間に送受信される画像データが圧縮された形態を有するので、全体チップサイズが減り、伝送データ量も減る。
【００２３】
情報処理システム３００で実行しようとする情報処理機能と画像処理機能は実質的にホスト２００で実行される。
ホスト２００で処理された結果（特に、画像処理結果）はディスプレイ装置１００を通じてディスプレイされる。
後述するように、ホスト２００で処理された処理結果は直ちにディスプレイ装置１００を通じてディスプレイされず、フレームメモリ領域２７５に圧縮された形態で貯蔵されてからディスプレイされる。
その理由は、周知のように、ホスト２００で処理された処理結果のディスプレイ周波数は実際のディスプレイ装置で要求されるディスプレイ周波数より低いので、そのマッチングのためにフレームメモリ（またはフレームメモリに相当するメモリ）を要するからである。
フレームメモリ領域２７５はディスプレイ装置１００のフレームメモリとしての機能を実行する。
フレームメモリ領域２７５はホスト２００に具備されているメモリであれば、その種類に拘らずフレームメモリ領域２７５として割り当てることができる。
【００２４】
一方、本発明ではディスプレイ装置１００として液晶ディスプレイ装置を例としてあげて説明しているが、これは本発明が適用される一例に過ぎない。
本発明は例えば、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）のように液晶ディスプレイ装置と類似（または同一）の駆動方式を有する多様な種類の平板ディスプレイ装置にも適用可能である。
この外にも、本発明に係るディスプレイ装置１００は、ＨＭＤ（Ｈｅａｄ  Ｍｏｕｎｔｅｄ  Ｄｉｓｐｌａｙ）のように、身体に着用可能なディスプレイ（Ｗｅａｒａｂｌｅ  Ｄｉｓｐｌａｙ）装置と、データ伝送と表示が可能な個人携帯端末機（ＰＤＡ−ｐｈｏｎｅ）、デジタルスチールカメラ、ＤＳＣ、指紋認識機、自動車航法装置ＣＮＳ、電子ブック、電子ペーパーなどのディスプレイ装置にも適用可能である。
【００２５】
図２は図１に示したＳＯＧディスプレイ装置１００及びこれを具備した情報処理システム３００の構成を示すブロック図である。
【００２６】
図２を参照すれば、ホスト２００は画像処理部２１０、インターフェース２３０、及びメモリ２７０を含む。
画像処理部２１０はディスプレイ装置１００にディスプレイされるべき画像信号ＩＭＧを発生する機能を実行する。
画像処理部２１０で処理される画像処理アルゴリズムは情報処理システム３００の特性に応じて多様な形態に構成することができる。
インターフェース２３０はホスト２００とディスプレイ装置１００との間で画像信号ＩＭＧ、後述する画像信号ＩＭＧ＿ＣＯＤと、制御信号と、を送受信する機能を実行する。
メモリ２７０はホスト２００側で処理されるべきデータと処理されたデータを貯蔵する機能を実行する。
メモリ２７０はホスト２００の主記憶装置及び補助記憶装置を全部含み、どんな種類のメモリでも、メモリ２７０の一領域をフレームメモリ領域２７５として割り当てることができる。
割り当てられたフレームメモリ領域２７５はディスプレイ装置１００のフレームメモリであるかのように用いられる。
フレームメモリ領域２７５にはディスプレイ装置１００のタイミング制御部１５０によって圧縮された画像信号ＩＭＧ＿ＣＯＤが貯蔵される。
【００２７】
ディスプレイ装置１００は液晶パネル１１０、ゲート駆動部１２０、ソース駆動部１３０、レベルシフト１４０、タイミング制御部１５０、及び電源供給部１７０を含む。
これらの、ディスプレイ装置１００を構成する機能ブロックは全部同一のガラス基板上に形成される。
【００２８】
液晶パネル１１０は共通電極を有する上部基板と、画素電極Ｐを有する下部基板から構成され、上部及び下部基板の間には液晶が注入される。
下部基板には、さらに、複数個のゲートラインＧが一定の間隔を置いて配列される。
そして、前記ゲートラインＧと直交する方向に複数個のデータラインＤが一定の間隔を置いて配列される。
そして、ゲートラインＧとデータラインＤの交差領域には、薄膜トランジスタＴがマトリックス形態で配列される。
それぞれの薄膜トランジスタはそれぞれの画素に対応する。
液晶パネル１１０の一つの画素に対する等価回路は、一つの薄膜トランジスタＴに液晶充電容量である液晶キャパシタンスＣｌｃと画素充電容量であるストレージキャパシタンスＣｓｔが並列に連結された形態に示すことができる。
そして、液晶パネル１１０の背面には、均一な光源を提供するバックライト（図示しない）が形成される。
バックライトの光源としてはＣＣＦＬ（Ｃｏｌｄ  Ｃａｔｈｏｄｅ  Ｆｌｕｏｒｅｓｃｅｎｔ  Ｌａｍｐ）が主に用いられる。
【００２９】
タイミング制御部１５０は、ホスト２００から印加された画像信号ＩＭＧと、水平及び垂直同期信号、そしてクロック信号に応答して、画面を再生するのに適するタイミングでゲート駆動部１２０及びソース駆動部１３０に、ディスプレイされるべきデータ、クロック信号、及びデータを出力する。
タイミング制御部１５０の内部にはＣＯＤＥＣ（Ｃｏｄｅｒ−Ｄｅｃｏｄｅｒ）１５５が具備される。
ＣＯＤＥＣ  １５５はホスト２００から印加された画像信号ＩＭＧを圧縮する機能と、圧縮された画像信号の圧縮を解除して元々の画像信号ＩＭＧを復元する機能と、を実行する。
その際、圧縮が解除された（即ち、復元された）画像ＩＭＧ＿ＤＥＣは実質的にホスト２００から印加された画像信号ＩＭＧと同一である。
【００３０】
具体的には、ＣＯＤＥＣ  １５５はホスト２００から印加された画像信号ＩＭＧを圧縮して、圧縮された結果ＩＭＧ＿ＣＯＤをホスト２００のインターフェース２３０に送る。
圧縮された画像信号ＩＭＧ＿ＣＯＤはインターフェース２３０を通じてメモリ２７０のフレームメモリ領域２７５に一旦貯蔵される。
一方、前記圧縮された画像信号ＩＭＧ＿ＣＯＤはディスプレイの際、ＣＯＤＥＣ１５５にローディングされて圧縮が解除される。
圧縮が解除された画像信号ＩＭＧ＿ＤＥＣはディスプレイのためにレベルシフト１４０に伝達される。
その際、圧縮が解除された画像信号ＩＭＧ＿ＤＥＣは動画を再生するのに適した周波数（例えば、１秒に３０フレーム以上）でディスプレイされる。
ホスト２００で画像処理を実行して画像信号ＩＭＧを発生する過程と、ＣＯＤＥＣ  １５５で画像信号ＩＭＧを圧縮する過程と、ＣＯＤＥＣ  １５５で圧縮された画像信号ＩＭＧ＿ＣＯＤの圧縮を解除する一連の過程は、それぞれパイプライン方式で実行されて処理時間及び信号遅延を最小化する。
【００３１】
レベルシフト１４０はタイミング制御部１５０のＣＯＤＥＣ  １５５から画像信号ＩＭＧ＿ＤＥＣを受け入れて、前記画像信号ＩＭＧ＿ＤＥＣの電圧レベルを増幅してソース駆動部１３０に出力する。
ゲート駆動部１２０はタイミング制御部１５０の制御に応答して液晶パネル１１０の各ゲートラインＧにゲート駆動パルスを印加して、各ゲートラインＧを順次に活性化させる。
ソース駆動部１３０はタイミング制御部１５０の制御に応答してレベルシフト１４０の出力に対応するデータ電圧を発生する。
そして、それぞれのデータラインＤにデータ電圧を印加する。
ソース駆動部１３０の内部回路はチップ製造会社により少しずつ差があるが、一般に、ディスプレイされるべき、デジタルデータタイプの画像信号（すなわち、レベルシフト１４０の出力）を順にシフトするシフトレジスタと、デジタルデータタイプの画像信号をアナログ電圧値に変換するデジタル−アナログコンバータＤＡＣと、変換されたアナログ電圧値をデータラインＤに出力するソースドライバ出力回路と、を含む。
タイミング制御部１５０からアナログ電圧値を液晶パネル１１０に提供することを命ずるクロック信号が入力されると、ソースドライバ出力部はデータラインＤを駆動し、ターンオンされた薄膜トランジスタＴを通じて液晶キャパシタＣｌｃに画像信号を印加する。
【００３２】
電源供給部１７０は、外部またはホスト２００から直流電源ＤＣ＿ＰＯＷＥＲが供給されて液晶ディスプレイ装置１００を動作させるのに必要な複数個の内部駆動電圧を発生する。
液晶ディスプレイ装置１００で用いられる内部駆動電圧としては、電源電圧Ｖｄｄ、ゲートオン電圧Ｖｇｈ、ゲートオフ電圧Ｖｇｌ、ガンマ基準電圧Ｖｅｒｆ、及び共通電圧Ｖｃｏｍなどがある。
電源供給部１７０は、好ましくはＤＣ／ＤＣコンバータで構成される。
【００３３】
図３は図２に示したディスプレイ装置１００の駆動方法を示すフローチャートである。
【００３４】
図３を参照すれば、本発明に係るディスプレイ装置１００では、最初にホスト２００から画像信号ＩＭＧが入力され（Ｓ１５００段階）、入力された画像信号ＩＭＧが圧縮される（Ｓ１５１０段階）。
その際、入力された画像信号ＩＭＧに対する圧縮はタイミング制御部１５０の内部に具備されたＣＯＤＥＣ  １５５により実行される。
次に、ディスプレイ装置１００は１５１０段階で圧縮された画像信号ＩＭＧ＿ＣＯＤをホスト２００に具備されているメモリ２７０の一領域（すなわち、フレームメモリ領域２７５）に貯蔵する（Ｓ１５２０段階）。
圧縮された画像信号ＩＭＧ＿ＣＯＤが貯蔵されるメモリ２７０のフレームメモリ領域２７５はディスプレイ装置１００のフレームメモリであるかのようにディスプレイ装置１００によって制御される。
次に、ディスプレイ装置１００はホスト２００のメモリ２７０から圧縮された画像信号ＩＭＧ＿ＣＯＤをローディングし（Ｓ１５３０段階）、ローディングされた画像信号ＩＭＧ＿ＣＯＤの圧縮を解除する（Ｓ１５４０段階）。
その際、圧縮された画像信号ＩＭＧ＿ＣＯＤに対する圧縮解除も、タイミング制御部１５０の内部に具備されたＣＯＤＥＣ  １５５により実行される。
最後に、圧縮が解除された画像信号ＩＭＧ＿ＤＥＣはディスプレイ装置１００に具備された液晶パネル１１０を通じてディスプレイされる（Ｓ１５５０段階）。
【００３５】
上述のように、本発明に係るディスプレイ装置１００は、ＳＯＧ技術によって、液晶パネル１１０を含めた複数個の駆動回路、例えばゲート駆動部１２０、ソース駆動部１３０、レベルシフト１４０、タイミング制御部１５０、及び電源供給部１７０は全部液晶パネル１１０と同一の基板（すなわち、同一のガラス基板）上に形成される。
前記ディスプレイ装置１００は、ディスプレイ装置１００内に別途のフレームメモリを具備せず、ホスト２００に具備されているメモリ２７０の一領域をフレームメモリ領域２７５として割り当てて用いる。
フレームメモリ領域２７５に貯蔵される画像データは圧縮されたデータ形態を有する。
したがって、ディスプレイ装置１００の全体としてのチップサイズが減り、さらに情報処理システム３００の全体としてのチップサイズが減る。
また、ディスプレイ装置１００とホストとの間に送受信される画像データが圧縮された形態を有するので、伝送されるデータ量も減る。
その結果、情報処理システム全体としての基板サイズが減る。
【００３６】
以上、本実施例では、ディスプレイ装置１００がＳＯＧ技術（またはＳＯＰ）技術を適用して構成される場合に対して説明した。
しかし、ホスト２００もＳＯＧ技術を適用して単一基板上に構成することができ、場合によっては情報処理システム３００の全体を単一基板上に構成することもできる。
このようにホスト２００と情報処理システム３００をＳＯＧ技術によって単一基板上に構成する場合でても、本実施例の特徴はそのまま発現可能である。
したがって、要するメモリのサイズが減ってチップ全体のサイズが減り、伝送されるデータ量も減る。
さらに、単一基板化によって、インターフェース２３０とタイミング制御部の合体が可能になり、両者を連結していたコネクタ及びコネクタ配線が不要になる。
その結果、情報処理システム全体としての基板サイズがさらに減る。
【実施例２】
【００３７】
図４は本発明の他の実施形態に係るＳＯＧディスプレイ装置１００’及びこれを具備した情報処理システム３００’の構成を示すブロック図である。
【００３８】
図４に示したＳＯＧディスプレイ装置１００’及びこれを具備した情報処理システム３００’は、上記実施例１（図２）に示したＳＯＧディスプレイ装置１００及びこれを具備した情報処理システム３００と比べると、画像信号ＩＭＧを圧縮する機能ブロックの配置を除き、他のブロックは同一の構成を有する。
したがって、同一の機能を実行するブロックに対しては同一の参照符号を付加して、これに対する詳細の説明は省略する。
【００３９】
図４を参照すれば、ホスト２００’はディスプレイ装置１００’に圧縮された画像信号ＩＭＧ＿ＣＯＤを直接提供するように、画像処理部２１０とインターフェース２３０との間にエンコーダ２２０を含む。
エンコーダ２２０は画像処理部２１０から発生された画像信号ＩＭＧを受け入れて、これを圧縮する。
エンコーダ２２０で圧縮された画像信号ＩＭＧ＿ＣＯＤはインターフェース２３０を経てメモリ２７０のフレームメモリ領域２７５に貯蔵される。
そして、フレームメモリ領域２７５に貯蔵された圧縮画像信号ＩＭＧ＿ＣＯＤは再びインターフェース２３０を経てタイミング制御部１５０’のデコーダ１５７に入力される。
ここで、エンコーダ２２０は画像処理部２１０内に具備されることもでき、図４に示したように、別途のブロックで構成されることもできる。
【００４０】
ディスプレイ装置１００’はホスト２００’のフレームメモリ領域２７５に貯蔵された圧縮画像信号ＩＭＧ＿ＣＯＤを直接ローディングして、これをディスプレイする。
このために、ディスプレイ装置１００’はタイミング制御部１５０’内にデコーダ１５７を具備する。
デコーダ１５７はホスト２００’から伝送された圧縮画像信号ＩＭＧ＿ＣＯＤの圧縮を解除してレベルシフト１４０に送る。
【００４１】
図４に示したディスプレイ装置１００’は図２に示したディスプレイ装置１００と同様に、その内部に別途のフレームメモリを具備せず、ホスト２００’に具備されているメモリ２７０の一領域をフレームメモリ領域２７５として割り当てて用いる。
したがって、ディスプレイ装置１００’及びこれを具備した情報処理システム３００’全体のチップサイズが減り、伝送データ量も減る。
【００４２】
図５は図４に示したディスプレイ装置１００’の駆動方法を示すフローチャートである。
【００４３】
図５を参照すれば、本発明に係るディスプレイ装置１００’は、最初にホスト２００’から圧縮された画像信号ＩＭＧ＿ＣＯＤが入力される（Ｓ１６００段階）。
ここで、入力された圧縮画像信号ＩＭＧ＿ＣＯＤはホスト２００’に具備されたエンコーダ２２０によって発生される。
圧縮画像信号ＩＭＧ＿ＣＯＤはホスト２００’に具備されているメモリ２７０の一領域（すなわち、フレームメモリ領域２７５）に一旦貯蔵された後、ディスプレイ装置１００’にローディングされる。
その際、圧縮された画像信号ＩＭＧ＿ＣＯＤが貯蔵されるメモリ２７０のフレームメモリ領域２７５はディスプレイ装置１００’のフレームメモリのようにディスプレイ装置１００’によって制御される。
【００４４】
続いて、ディスプレイ装置１００は入力された圧縮画像信号ＩＭＧ＿ＣＯＤの圧縮を解除する（Ｓ１６４０段階）。
ここで、圧縮された画像信号ＩＭＧ＿ＣＯＤに対する圧縮解除動作はタイミング制御部１５０’の内部に具備されているデコーダ１５７により実行される。
最後に、圧縮が解除された画像信号ＩＭＧ＿ＤＥＣはディスプレイ装置１００’に具備された液晶パネル１１０を通じてディスプレイされる（Ｓ１６５０段階）。
【００４５】
上述したように、本発明に係るディスプレイ装置１００’はＳＯＧ技術に従って単一ガラス基板上に形成される。
そして、ディスプレイ装置１００’の内部には別途のフレームメモリが具備されず、ホスト２００に具備されているメモリ２７０の一領域をフレームメモリ領域２７５として割り当てて用いる。
フレームメモリ領域２７５に貯蔵される画像データは圧縮されたデータ形態を有する。
したがって、ディスプレイ装置１００の全体としてのチップサイズが減り、さらに情報処理システム３００の全体としてのチップサイズが減る。
また、ディスプレイ装置１００とホストとの間に送受信される画像データが圧縮された形態を有するので、伝送データ量も減る。
【００４６】
一方、本発明ではＳＯＧ技術によって形成されたディスプレイ装置１００、１００’として、液晶ディスプレイ装置が例示されたが、これは本発明が適用される一例に過ぎない。
本発明は、液晶ディスプレイ装置の外にも、ＰＤＰ、ＥＬＤ、ＬＥＤ（Ｌｉｇｈｔ  Ｅｍｉｔｔｉｎｇ  Ｄｉｏｄｅ）ディスプレイ、ＶＦＤなどのように液晶ディスプレイ装置と同一（または類似）な駆動方式を有する他のディスプレイ装置でも全部適用可能である。
また、本発明は特に、軽量、薄型、及び低電力の特性を要求するモバイル装置に適する。
しかし、本発明はモバイル機器だけでなく、多様な種類の固定式ディスプレイ装置にも全部適用可能である。
【００４７】
以上のように図面と明細書で最適の実施形態を開示した。
ここで特定の用語を用いたが、これはただ本発明を説明するための目的として用いたものであり、意味限定や特許請求の範囲に記載した本発明の範囲を制限するために用いたものではない。
したがって、本技術分野の通常の知識を持った者であれば、今後多様な変形及び他の実施形態が可能であろう。
したがって、本発明の真正な技術的保護範囲は上記の実施例に限定されず、特許請求の範囲の技術的思想によって決められなければならない。
【図面の簡単な説明】
【００４８】
【図１】本発明の望ましい実施形態（実施例１）に係る情報処理システムの概略的な構成を示す斜視図である。
【図２】図１に示したディスプレイ装置及びこれを具備した情報処理システムの構成を示すブロック図である。
【図３】図２に示したディスプレイ装置の駆動方法を示すフローチャートである。
【図４】本発明の他の実施形態（実施例２）に係るディスプレイ装置及びこれを具備した情報処理システムの構成を示すブロック図である。
【図５】図４に示したディスプレイ装置の駆動方法を示すフローチャートである。
【符号の説明】
【００４９】
１００  ディスプレイ装置
１１０  液晶パネル
１２０  ゲート駆動部
１３０  ソース駆動部
１４０  レベルシフト
１５０  タイミング制御部
１５５  ＣＯＤＥＣ
１５７  デコーダ
１７０  電源供給部
２００  ホスト
２１０  画像処理部
２２０  エンコーダ
２３０  インターフェース
２７０  メモリ
２７５  フレームメモリ領域
３００  情報処理システム
【図１】
2007025659.tif 000003
【図２】
2007025659.tif 000004
【図３】
2007025659.tif 000005
【図４】
2007025659.tif 000006
【図５】
2007025659.tif 000007